(57)【特許請求の範囲】
【請求項１】
複数のバスバーを連結部で連結してなるバスバーユニットを樹脂製のハウジングにインサート成型して形成され、
前記インサート成型後に前記バスバーユニットにおける前記連結部の内で回路的に不要である不要連結部について連結を断つ切断加工がなされるようになっている電気的接続部品の加工方法において、
前記インサート成型は、前記切断加工の対象となる前記不要連結部の表面が前記ハウジングの樹脂で覆われる状態にしてなし、前記切断加工は、前記表面被覆の樹脂ごと前記不要連結部を切断することでなすようにされていることを特徴とする電気的接続部品の加工方法。
【請求項２】
複数のバスバーを連結部で連結してなるバスバーユニットを、樹脂製のハウジングにインサート成型して形成され、
前記インサート成型後に前記バスバーユニットにおける前記連結部の内で回路的に不要である不要連結部について連結を断つ切断加工がなされるようになっている電気的接続部品であって、
前記切断加工後に分離された一方の不要連結部のうち、前記ハウジングの樹脂で覆われていない非被覆部分と、
前記切断加工後に分離された一方の不要連結部のうち、前記ハウジングの樹脂で覆われている被覆部分と、
前記切断加工後に分離された他方の不要連結部でない導電要素であって、前記一方の不要連結部に最も近い距離に位置する導電要素である隣接導電要素とを備え、
前記非被覆部分のあらゆる箇所と前記隣接導電要素間を結ぶ直線上に、前記ハウジングの樹脂が位置することを特徴とする電気的接続部品。
【発明の詳細な説明】
【技術分野】
【０００１】
本発明は、電気接続箱などのような電気的接続部品の加工方法に係り、特に、バスバーをインサート成型して形成される電気的接続部品の加工方法に関する。
【背景技術】
【０００２】
電気接続箱などのような電気的接続部品には様々なタイプがあり、その１つとして、バスバーや端子などの導電要素（回路要素）を樹脂製のハウジングにインサート成型して形成されるタイプがある。図５に、インサート成型タイプの電気接続箱の構成例を示す。この例の電気接続箱１は、樹脂製のハウジング２におけるインサート部３にバスバー４（バスバー４ａ、バスバー４ｂなど）や端子５などの導電要素がインサート成型で組付けられている。そして、バスバー４ａやバスバー４ｂは、インサート部３に設けた窓部６（窓部６ａ、窓部６ｂなど）においてその一部が露出するようにされている。また電気接続箱１は、嵌合装着部７が設けられ、この嵌合装着部７に後付けバスバー８が非インサートの後付け導電要素として嵌合装着で組付けられている。
【０００３】
このようなインサート成型タイプの電気接続箱１では、インサート対象の複数のバスバー４を連結部で連結してバスバーユニットとし、そのバスバーユニットをインサート部材としてインサート成型が行われ、そしてインサート成型後に、バスバーユニットにおける連結部の内の回路的に不要なもの、つまり不要連結部についてその連結を断つ切断加工がなされる。
【０００４】
図６に示すのは、切断対象となる不要連結部９とバスバー４の関係であり、図５中に一点鎖線で囲んだ部位に対応し、図７と図８に示すのは、不要連結部９をダイバーカット工法で切断する様子である。ダイバーカット工法では、ダイス１０とパンチ１１を用いて切断を行う。そのためにハウジング２のインサート部３には、不要連結部９に対応させて裏面側にダイス用窓部１２が設けられ、表面側に切断用窓部１３が設けられている。ダイス用窓部１２には、不要連結部９の裏面を支持するようにしてダイス１０がセットされ、一方、切断用窓部１３には、図６における不要連結部９の切断部位１４に対応するようにパンチ１１がセットされる（図７の（ａ））。そしてこの状態でパンチ１１を下降させて切断部位１４について不要連結部９を切断する（図７の（ｂ）、図８）。
【０００５】
なお、導電要素としてバスバーが用いられる電気接続箱など電気的接続部品については、例えば特許文献１や特許文献２に開示の例が知られ、またバスバーをインサート成型で組み込むインサート成型タイプについては特許文献３に開示の例が知られている。
【０００６】
【特許文献１】特開２０００−２２４７３３号公報
【特許文献２】特開２００１−２２３４５９号公報
【特許文献３】特開２００４−３２９１１号公報
【発明の開示】
【発明が解決しようとする課題】
【０００７】
ところで、上述のようにして切断がなされた不要連結部は、図８や図９に示すように、連結部切断片１５を残した状態となり、この連結部切断片１５が切断用窓部１３において大きく露出した状態となる。この場合、連結部切断片１５とこれに隣接する後付けバスバー８（図１、図８）の間の絶縁性についての問題がある。すなわち連結部切断片１５が切断用窓部１３においてハウジングの樹脂から大きく露出した状態となっていることから、連結部切断片１５と後付けバスバー８の間に十分な絶縁性を与えるのに必要な空間距離Ｄを確保する必要があり、そのことがバスバー４や後付けバスバー８の配置について制約となるという問題である。こうした問題は、高密度化がますます求められることになる電気接続箱のような電気的接続部品については、無視できない問題であり、連結部切断片１５とこれに隣接する導電要素との間に確保すべき空間距離をできるだけ短くできるようにすることが望まれる。
【０００８】
本発明は、このような要求に応えるためになされたものであり、その課題は、不要連結部の切断で生じる連結部切断片とこれに隣接する導電要素との間に確保すべき空間距離をより短くすることができるような電気的接続部品の加工方法の提供にある。
【課題を解決するための手段】
【０００９】
本発明では、上記課題を解決するために、複数のバスバーを連結部で連結してなるバスバーユニットを樹脂製のハウジングにインサート成型して形成され、前記インサート成型後に前記バスバーユニットにおける前記連結部の内で回路的に不要である不要連結部について連結を断つ切断加工がなされるようになっている電気的接続部品の加工方法において、前記インサート成型は、前記切断加工の対象となる不要連結部の表面が前記ハウジングの樹脂で覆われる状態にしてなし、前記切断加工は、前記表面被覆の樹脂ごと前記不要連結部を切断することでなすようにされていることを特徴としている。
【００１０】
このような加工方法によれば、切断加工の対象となる不要連結部の表面をハウジングの樹脂で覆った状態とし、その表面被覆の樹脂ごと不要連結部を切断するようにしているので、連結部切断片の樹脂からの露出を極力抑えることができる。このため連結部切断片とこれに隣接する導電要素との間における沿面距離を長くすることができ、これにより絶縁性を高めることができ、したがって連結部切断片と隣接導電要素との間に確保すべき空間距離をより短くすることが可能となり、バスバーなどの導電要素の電気的接続部品における配置についての自由度を高めることができる。
【発明の効果】
【００１１】
以上のような本発明によれば、不要連結部の切断で生じる連結部切断片とそれに隣接する導電要素との間に確保すべき空間距離をより短くすることが可能となる。
【発明を実施するための最良の形態】
【００１２】
以下、本発明を実施するための形態について説明する。図１に、一実施形態による電気的接続部品の加工方法で得られたインサート成型タイプの電気的接続部品である電気接続箱２１の構成を示す。なお、電気接続箱２１は、基本的には図５に電気接続箱１と同様で、不要連結部の切断に関して相違しているだけである。したがって電気接続箱１と共通する構成については、図５におけるのと同一の符号を付して示し、上での説明を援用するものとする。
【００１３】
図２と図３に、インサート成型後に不要連結部９をダイバーカット工法で切断する様子を示す。不要連結部９のインサートは、表面についてはハウジング２のインサート部３における樹脂による樹脂層２２で覆われるようにし、裏面についてはダイス用窓部２３が開口するようにしてなされている。
【００１４】
このようにインサートされた不要連結部９のダイバーカット工法による切断は、ダイス用窓部２３にダイス２４をセットするとともに、このダイス２４に位置対応させて不要連結部９の表面側に表面被覆樹脂層２２が介在した状態でパンチ２５をセットし（図２の（ａ））、この状態でパンチ２５を下降さることで表面被覆樹脂層２２ごと不要連結部９を切断する（図２の（ｂ））。
【００１５】
こうした切断により、表面被覆樹脂層２２に切断孔２６が形成されるとともに、不要連結部９に切断部２７が形成され、その両側に連結部切断片２８を生じる（図３、図４）。この場合、連結部切断片２８は、表面のほぼ全面を表面被覆樹脂層２２で覆われた状態になっており、連結部切断片２８が樹脂から露出するのを極力抑えることができる。このため連結部切断片２８とこれに隣接する後付けバスバー８との間における沿面距離が長くなって絶縁性を高めることができ、したがって連結部切断片２８と後付けバスバー８の間に確保すべき空間距離をより短くすることが可能となり、バスバー４や後付けバスバー８などの配置について自由度を高めることができる。
【００１６】
ここで、ダイス用窓部２３は、上述の図７におけるダイス用窓部１２よりも大きなサイズに形成されている。これは、図７におけるダイス１０よりもサイズの大きなダイス２４を用いることができるようにし、これによりダイスの耐久性を高めるようにしたものである。
【００１７】
以上、本発明を実施するための形態について説明したが、これは代表的な例に過ぎず、本発明はその趣旨を逸脱することのない範囲で様々な形態で実施することができる。例えば、上記実施形態では不要連結部の表面被覆樹脂層を不要連結部の全面に形成するようにしていたが、必ずしもこれに限られない。すなわち不要連結部の表面を表面被覆樹脂層で覆うという場合の表面被覆樹脂層による覆い状態は、表面被覆樹脂層ごと不要連結部を切断できる状態に覆ってあれば足り、不要連結部の全面が覆われていることは必ずしも必要でない。
【図面の簡単な説明】
【００１８】
【図１】一実施形態による電気的接続部品の加工方法で得られた電気接続箱の構成を簡略化して示す図である。
【図２】不要連結部をダイバーカット工法で切断する様子を簡略化して示す図である。
【図３】不要連結部の切断を終えた状態を簡略化して示す図である。
【図４】連結部切断片の平面視状態を簡略化して示す図である。
【図５】従来の電気的接続部品の加工方法で得られる電気接続箱の構成を簡略化して示す図である。
【図６】連結部とバスバーの関係を平面視状態で簡略化して示す図である。
【図７】不要連結部をダイバーカット工法で切断する様子を簡略化して示す図である。
【図８】不要連結部の切断を終えた状態を簡略化して示す図である。
【図９】連結部切断片の平面視状態を簡略化して示す図である。
【符号の説明】
【００１９】
２    ハウジング
４    バスバー
９    不要連結部
２１    電気接続箱（電気的接続部品）
２２    表面被覆樹脂層
【図１】
0005132425.tif 000002
【図２】
0005132425.tif 000003
【図３】
0005132425.tif 000004
【図４】
0005132425.tif 000005
【図５】
0005132425.tif 000006
【図６】
0005132425.tif 000007
【図７】
0005132425.tif 000008
【図８】
0005132425.tif 000009
【図９】
0005132425.tif 000010